(57)【要約】  【課題】  複数のピックアップコイルの配置を弦楽器に配置される弦のアールに適切に対応可能とすることにより、ギターの種類に依存することなく適切に使用可能なピックアップ装置を提供すること。  【解決手段】  本発明のピックアップ装置によれば、ピックアップコイルを装着したピックアップ基板自体の撓みに応じてアールが調整可能である。よって、ピックアップ基板のアールを適宜調整することにより、そのピックアップ基板に配設されている各ピックアップコイルと各弦との距離を常に適切な距離に保つことができる。従って、ギターの種類に依存することなく、各弦の振動を適切に検出し得るという効果がある。  【選択図】    図５
2005173323.tif 000002
【特許請求の範囲】
【請求項１】
弦楽器の胴部に配設され、複数の弦の振動を電気信号に変換するためのピックアップ装置において、
前記複数の弦における各弦の振動を検出するための複数のピックアップコイルと、
その複数のピックアップコイルがそれぞれ独立してその長手方向に配設されている可撓性を有するピックアップ基板と、
前記ピックアップ基板の撓みを制御することにより、そのピックアップ基板のアールを調整するアール調整部材とを備えていることを特徴とするピックアップ装置。
【請求項２】
前記ピックアップ基板におけるアールを調整すべき領域の端部の少なくとも一方を固定するための上下位置規制部材を備えていることを特徴とする請求項１記載のピックアップ装置。
【請求項３】
前記ピックアップ基板におけるアールを調整すべき領域の中央部分は、前記複数のピックアップコイルの装着された領域の中央部分に対応し、
前記アール調整部材は、その複数のピックアップコイルの装着された領域の中央部分に設けられているものであることを特徴とする請求項１又は２記載のピックアップ装置。
【請求項４】
前記アール調整部材は、前記ピックアップ基板の基板面に対して垂直な方向に力を作用させるものであることを特徴とする請求項１から３のいずれかに記載のピックアップ装置。
【請求項５】
前記アール調整部材は、前記ピックアップ基板に装着されている前記複数のピックアップコイルの並び方向に力を作用させるものであることを特徴とする請求項１又は２記載のピックアップ装置。
【請求項６】
前記ピックアップ基板における前記ピックアップコイルの装着されている面の裏面の側に配設された弾性部材を備えていることを特徴とする請求項１から５のいずれかに記載のピックアップ装置。
【請求項７】
前記弾性部材は、板ばねであることを特徴とする請求項６記載のピックアップ装置。
【請求項８】
前記弾性部材は、コイルばねであることを特徴とする請求項６記載のピックアップ装置。
【請求項９】
前記ピックアップ基板の撓みが所定のアールより小さくならないように規制するアール規制部材を備えていることを特徴とする請求項１から８のいずれかに記載のピックアップ装置。
【請求項１０】
前記ピックアップ基板における前記ピックアップコイルの装着されている面の側に配置されるトップケースを備え、
前記アール規制部材は、前記トップケースと前記ピックアップ基板との間に配置されたコイルばねであることを特徴とする請求項９記載のピックアップ装置。
【発明の詳細な説明】
【技術分野】
【０００１】
本発明は、弦楽器に装着するピックアップ装置に関し、特に、複数の弦を有するギターなどの弦楽器に装着され、各弦の振動を適切に検出し得るように調節可能なピックアップ装置に関する。
【背景技術】
【０００２】
従来より、ギター等の弦楽器のボディに装着し、弦振動を検出して電気信号に変換するピックアップ装置がある。特に、ギターシンセサイザー等の電子弦楽器で使用されるピックアップ装置は、各弦毎の弦振動を個別に処理できるように、各弦毎にピックアップコイルを備えている。
【０００３】
特許２９８５０６１号公報（特許文献１）には、ギターなどの弦楽器の胴部に配設されて、各弦の振動を検出するための複数のピックアップコイルが所定のアール（曲率）を有するように配置されているピックアップ装置が記載されている。具体的には、この特許文献１に記載されるピックアップ装置では、トップケース及びボトムケースの内部が予め所定のアールを有するように形成されており、そのトップケースとボトムケースとの間に可撓性を有するピックアップ基板が挟み込まれている。その結果、ピックアップ基板に取り付けられたピックアップコイルが、そのトップケース及びボトムケースの内部に形成されたアールに沿って配置されている。
【特許文献１】特許２９８５０６１号公報（例えば、請求項１、段落［００４４］）
【発明の開示】
【発明が解決しようとする課題】
【０００４】
ピックアップ装置が各弦の振動をそれぞれ適切に拾うためには、各弦に対してピックアップコイルが適切に配置されている必要がある。
【０００５】
しかしながら、例えば、ギターにおいては、その種類毎に、指板やブリッジ等の形状に応じて弦の配置のアールがそれぞれ異なるので、特許文献１に記載されるような所定のアールで配置されるピックアップコイルを使用した場合には、ギターの種類によっては、ピックアップコイルと弦との距離が不適切に離れてしまうことにより弦振動を適切に拾えないという問題点があった。
【０００６】
本発明は、上述した問題点を解決するためになされたものであり、複数のピックアップコイルの配置を弦楽器に配置される弦のアールに適切に対応可能とすることにより、ギターの種類に依存することなく適切に使用可能なピックアップ装置を提供することを目的としている。
【課題を解決するための手段】
【０００７】
この目的を達成するために、請求項１記載のピックアップ装置は、弦楽器の胴部に配設され、複数の弦の振動を電気信号に変換するためのピックアップ装置において、前記複数の弦における各弦の振動を検出するための複数のピックアップコイルと、その複数のピックアップコイルがそれぞれ独立してその長手方向に配設されている可撓性を有するピックアップ基板と、前記ピックアップ基板の撓みを制御することにより、そのピックアップ基板のアールを調整するアール調整部材とを備えている。
【０００８】
請求項２記載のピックアップ装置は、請求項１記載のピックアップ装置において、前記ピックアップ基板におけるアールを調整すべき領域の端部の少なくとも一方を固定するための上下位置規制部材を備えている。
【０００９】
請求項３記載のピックアップ装置は、請求項１又は２記載のピックアップ装置において、前記ピックアップ基板におけるアールを調整すべき領域の中央部分は、前記複数のピックアップコイルの装着された領域の中央部分に対応し、前記アール調整部材は、その複数のピックアップコイルの装着された領域の中央部分に設けられているものである。
【００１０】
請求項４記載のピックアップ装置は、請求項１から３のいずれかに記載のピックアップ装置において、前記アール調整部材は、前記ピックアップ基板の基板面に対して垂直な方向に力を作用させるものである。
【００１１】
請求項５記載のピックアップ装置は、請求項１又は２記載のピックアップ装置において、前記アール調整部材は、前記ピックアップ基板に装着されている前記複数のピックアップコイルの並び方向に力を作用させるものである。
【００１２】
請求項６記載のピックアップ装置は、請求項１から５のいずれかに記載のピックアップ装置において、前記ピックアップ基板における前記ピックアップコイルの装着されている面の裏面の側に配設された弾性部材を備えている。
【００１３】
請求項７記載のピックアップ装置は、請求項６記載のピックアップ装置において、前記弾性部材は、板ばねである。
【００１４】
請求項８記載のピックアップ装置は、請求項６記載のピックアップ装置において、前記弾性部材は、コイルばねである。
【００１５】
請求項９記載のピックアップ装置は、請求項１から８のいずれかに記載のピックアップ装置において、前記ピックアップ基板の撓みが所定のアールより小さくならないように規制するアール規制部材を備えている。
【００１６】
請求項１０記載のピックアップ装置は、請求項９記載のピックアップ装置において、前記ピックアップ基板における前記ピックアップコイルの装着されている面の側に配置されるトップケースを備え、前記アール規制部材は、前記トップケースと前記ピックアップ基板との間に配置されたコイルばねである。
【発明の効果】
【００１７】
本発明のピックアップ装置によれば、ピックアップコイルを装着したピックアップ基板自体の撓みに応じてアールが調整可能である。よって、ピックアップ基板のアールを適宜調整することにより、そのピックアップ基板に配設されている各ピックアップコイルと各弦との距離を常に適切な距離に保つことができる。従って、ギターの種類に依存することなく、各弦の振動を適切に検出し得るという効果がある。
【発明を実施するための最良の形態】
【００１８】
以下、本発明の好ましい実施例について、添付図面を参照して説明する。図１は、本発明のピックアップ装置１を装着したギター１００の一部を示す図である。図１に示すように、ピックアップ装置１は、ギター１００に設けられた６本の弦１０８とボディ１０４との間に、６つのピックアップコイル２１（２１ａ〜２１ｆ）が、それぞれ弦１０８ａ〜１０８ｆの下に配置されるように装着されている。
【００１９】
ここで、図１においては、このピックアップ装置１は、図示されない両面テープを用いてボディ１０４に固定された図を示しているが、その両側に設けられた貫通孔４９を介してボディ１０４にねじ止めにより固定するようにしてもよい。図１に示すように装着されたピックアップ装置１は、ピックアップコイル２１ａ〜２１ｆにより拾った弦１０８ａ〜１０８ｆの振動に基づく電気信号を、ケーブル１０６を介して、ギターシンセサイザー用制御装置などの制御装置１２０へ供給する。
【００２０】
また、図１では、後の説明を容易にするために、ピックアップ装置１にケーブル１０６が接続されている状態を図示していないが、このケーブル１０６は、ピックアップ装置１の内部に設けられている基板（後述するピックアップ基板２０）における所定の位置（後述する端子部２４）に結線されているものとする。
【００２１】
図２は、本発明の第１実施例におけるピックアップ装置１を示す図であり、図２（ａ）は、ピックアップ装置１の平面図であり、図２（ｂ）は、図２（ａ）のＡ−Ａ方向断面図である。
【００２２】
このピックアップ装置１は、６つのピックアップコイル２１ａ〜２１ｆが装着されたピックアップ基板２０と、このピックアップ基板２０を収納するためのケース部４０を構成するトップケース４０ａ及びボトムケース４０ｂと、ピックアップ基板２０を下面（ピックアップコイル２１の装着面と反対側の面）から支持する樹脂製の板ばね６０と、ピックアップ基板２０のアールを調整するための調整用ねじ７０とを主に備えている。
【００２３】
ケース部４０の上部を構成するトップケース４０ａは、アルミニウムのような非磁性の金属により形成されている。トップケース４０ａが非磁性の金属により形成されることにより、トップケース４０ａ全体の磁気化を防止し得ると共に、各弦の弦振動を検出する際における互いの干渉を防止し得るために好ましい。また、特に、トップケース４０ａがアルミニウムで形成されることは、加工性、強度、耐久性の点で好ましい。
【００２４】
このトップケース４０ａの上部には、ピックアップコイル２１ａ〜２１ｆの一部を現出させるための開口部４８ａ〜４８ｆと、ピックアップ基板２０のアールを調節するための調整用ねじ７０を挿入するための貫通孔５０が形成されている。
【００２５】
また、このトップケース４０ａは、このピックアップ装置１から外部へ導出されるケーブル１０６を安定に保持するためのコードホルダ４３を備え、このコードホルダ４３は、トップケース４０ａに設けられたねじ孔４５とコードホルダ４３に設けられたねじ孔４３ｂとに挿通される非図示のねじによってトップケース４０ａに固定されている。なお、ピックアップ基板２０における所定の位置（後述する端子部２４）に接続されたケーブル１０６は、孔４１を通ってコードホルダ４３の内部（コードホルダ４３とトップケース４０ａとの間）へ導出され、開口部４３ａからピックアップ装置１の外部へ導出される。
【００２６】
一方、ボトムケース４０ｂは、ケース部４０の下部を構成する部材であり、ポリアセタール（ＰＯＭ）などの樹脂により形成される。このボトムケース４０ｂは、フック４２，４４を備えている。これらのフック４２，４４に、ピックアップ基板２０における対応する係合部（後述する係合部２５，２６）を係合させることにより、ボトムケース４０ｂにピックアップ基板２０が装着される。
【００２７】
このボトムケース４０ｂは、その幅方向両側に非図示の段落ち形状（凹部）を有している。ピックアップ基板２０の装着されたボトムケース４０ｂの上方からトップケース４０ａを被せ、ボトムケース４０ｂの段落ち形状部分に、トップケース４０ａの幅方向両側に設けられているつめ部材４６を嵌める。次いで、そのつめ部材４６をボトムケース４０ｂを覆うように折り曲げることにより、ボトムケース４０ｂとトップケース４０ａとの間にピックアップ基板２０がケーシングされる。なお、図２（ｂ）においては、説明を容易にするために、トップケース４０ａのつめ部材４６は、折り曲げる前の状態を図示している。
【００２８】
次に、図３及び図４を参照して、ピックアップ基板２０及びこのピックアップ基板２０を支持する板ばね６０について説明する。図３は、ピックアップコイル２１が装着されたピックアップ基板２０を示す図である。また、図４は、ピックアップ基板２０と板ばね６０とが接着されることを説明する図であり、図４（ａ）は、板ばね６０と、その板ばね６０上に配設されたピックアップ基板２０とを分解して示した図であり、図４（ｂ）は、ピックアップ基板２０と板ばね６０とが接着されたものの裏面側から見た図であり、図４（ｃ）は、ピックアップ基板２０と板ばね６０とが接着されたものの側面図である。
【００２９】
ピックアップ基板２０は、ポリエステル樹脂又はポリイミド樹脂などの樹脂により、厚さ０．２ｍｍ程度に形成された可撓性を有する基板である。このピックアップ基板２０には、図３に示すように、ギター１００の第１弦１０８ａから第６弦１０８ｆまでの６本の弦１０８のそれぞれの振動を検出可能な６つのピックアップコイル２１ａ〜２１ｆが取り付けられている。
【００３０】
ピックアップ基板２０へのピックアップコイル２１の取り付けは、図４（ａ）に示すように、各ピックアップコイル２１（２１ａ〜２１ｆ）において下方へ突出する２本のピン２２を、ピックアップ基板２０に設けられた貫通孔２８へ挿入し、ピックアップ基板２０の裏面（即ち、ピックアップコイル２１の設けられていない側の面）側からハンダ付けを行なうことにより行なわれる。このため、ピックアップ基板２０とピックアップコイル２１（２１ａ〜２１ｆ）との接続の耐久性や信頼性を向上させることができる。
【００３１】
また、ピックアップ基板２０の幅方向に形成される一対の孔２８とピックアップコイル２１ａ〜２１ｆの一対のピン２２とは、それぞれ、ピックアップ基板２０の撓む方向である長さ方向に対して直角に設けられている。よって、ピックアップコイル２１の装着によってピックアップ基板２０の撓みが妨げられることはない。
【００３２】
また、図３に示すように、ピックアップ基板２０の左方には、６つのピックアップコイル２１ａ〜２１ｆのそれぞれからの出力用の孔２４ａ及び１つのグラウンド用の孔２４ｂを備えている端子部２４が設けられている。孔２４ａ及び孔２４ｂは、６対の孔２８と非図示の導電パターンにより接続されている。これらの孔２４ａ及び孔２４ｂのそれぞれに、ケーブル１０６のリード線が接続され、そのリード線を介して、ピックアップコイル２１ａから２１ｆにより検出された弦振動に基づく電気信号は、制御装置１２０へ出力され、制御装置１２０にて処理される。
【００３３】
また、ピックアップ基板２０には、ボトムケース４０ｂと係合するための係合部２５，２６が、それぞれ、ピックアップコイル２１ａの左側とピックアップコイル２１ｆの右側とに設けられている。なお、これらの係合部２５，２６のボトムケース４０ｂへの係合については、後で詳述する。
【００３４】
更に、ピックアップ基板２０におけるピックアップコイル２１ｃとピックアップコイル２１ｄとの間の略中央部分、即ち、ピックアップコイル２１ａから２１ｆの装着されている領域の略中央部分には、ピックアップ基板２０のアールを調整するための調整用ねじ７０を貫通させるための貫通孔２７が設けられている。
【００３５】
板ばね６０は、アール調整のためにピックアップ基板２０が撓められた際に、不適切に変形しないように裏面側から支持するための部材であり、ポリアセタール（ＰＯＭ）などの樹脂により、アールの値が１５０程度に成形されたアーチ状の部材である。なお、板ばね６０の材質はＰＯＭ樹脂に限定されることはなく、金属などで形成されてもよいが、製造コストや加工性などの点から樹脂製であることが好ましい。
【００３６】
この板ばね６０とピックアップコイル２１を装着したピックアップ基板２０とは、図４（ａ）に示すように、両面テープで互いに接着されている。しかし、接着方法は両面テープに限定されず、接着剤などにより接着してもよい。ここで、板ばね６０には、ピックアップ基板２０の裏面側から突出するピックアップコイル２１のピン２２に対応する位置に、溝６２がそれぞれ設けられているため、板ばね６０にピックアップ基板２０を接着する際、図４（ｂ）に示すように、その裏面から突出するピン２２によりその接着が阻害されず、互いを密着させることができる。
【００３７】
また、この板ばね６０の略中央部分であって、ピックアップ基板２０の貫通孔２７に対応する部分には、この板ばね６０にインサート成形されたナット６１が設けられている。板ばね６０とピックアップ基板２０とが接着されると、このナット６１の開口部分６１ａとピックアップ基板２０の貫通孔２７とが連通される。
【００３８】
このナット６１に、トップケース４０ａの孔５０から挿入された調整用ねじ７０が螺合されて、その調整用ねじ７０の締め具合に応じて、ピックアップ装置１におけるピックアップ基板２０のアールが調整される。
【００３９】
再度、図２に戻って、このピックアップ基板２０のアールの調整について説明する。調整用ねじ７０は、軸部の一部に円筒状の非ねじ部７０ａを有するねじ部材である。この調整用ねじ７０は、座面と非ねじ部７０ａとの間に形成された溝に、プッシュナットやＥリングやＯリングなどのねじ抜け防止部材７１を配置することにより、トップケース７０ａからの脱落が防止し得るように構成されている。
【００４０】
この調整用ねじ７０のねじ部７０ｂは、ピックアップ基板２０に接着された板ばね６０のナット６１の開口部６１ａに螺合され、調整用ねじ７０をナット６１に対して締め付けるように回転させると、それに伴って、ピックアップ基板２０は上方へ引き上げられる。すると、ピックアップ基板２０の撓み方は大きくなる、即ち、そのアールは小さくなる。なお、この場合、板ばね６０にインサート成形されたナット６１の上面が非ねじ部７０ａの下端に接触すると、ピックアップ基板２０はそれ以上引き上げられず、フック４４からピックアップ基板２０が脱落することを抑制できると共に、ピックアップ基板２０が破損することを防止することができる。
【００４１】
一方で、調整用ねじ７０をナット６１に対して緩めるように回転させると、それに伴って、ピックアップ基板２０は下方へ押し下げられる。すると、ピックアップ基板２０の撓み方は緩やかになる、即ち、そのアールは大きくなる。なお、この場合も、ナット６１がボトムケース４０ｂの溝部４７の底面と接触すると、ねじ部７０ｂがナット６１から外れることにより、それ以上、ピックアップ基板２０が下方へ押し下げられなくなるので、ピックアップ基板２０が破損することを防止することができる。
【００４２】
図５は、図２（ａ）のＡ−Ａ方向断面図であって、調整用ねじ７０の締め付け加減に応じたピックアップコイル２１（２１ａ〜２１ｆ）の天面のアールの調整を説明する図である。図５（ａ）は、調整用ねじ７０を可能な限り締め付けた状態であり、この場合は、ピックアップコイル２１の天面のアール（Ｒ）は１８４である。一方、図５（ｃ）は、調整用ねじ７０を可能な限り緩めた状態であり、この場合は、ピックアップコイル２１の天面のアールは４１０である。図５（ｂ）は、ピックアップコイル２１の天面のアールが３００である場合を示す図であり、調整用ねじ７０の締め加減に応じて、ピックアップコイル２１の天面のアールを１８４から４１０までの間で自在に変化させることができる。従って、本実施例のピックアップ装置１では、調整用ねじ７０によってピックアップ基板２０の基板面に垂直な方向に力を付加して基板自体を撓ませることにより、ピックアップコイル２１（２１ａ〜２１ｆ）の天面のアールを、弦１０８のアールに適合するように適宜調整し得る。
【００４３】
次に、図６を参照して、ピックアップ基板２０のボトムケース４０ｂへの係合について説明する。図６（ａ）は、ボトムケース４０ｂにピックアップ基板２０が装着された状態を示す図である。また、図６（ｂ）は、図６（ａ）のフック４２を含むＣ部分の部分拡大上面図であり、図６（ｃ）は、図６（ｂ）におけるＥ−Ｅ方向断面図（図６（ａ）におけるＥ−Ｅ方向断面図の一部）であり、図６（ｄ）は、図６（ｂ）におけるＦ−Ｆ方向断面図である。また、図６（ｅ）は、図６（ａ）のフック４４を含むＤ部分の部分上面図であり、図６（ｆ）は、図６（ｅ）におけるＥ−Ｅ方向断面図（図６（ａ）におけるＥ−Ｅ方向断面図の一部）である。
【００４４】
ピックアップ基板２０は、図６に示すように、係合部２５，２６が、それぞれ、ボトムケース４０ｂに一体化されて形成されているフック４２，４４により係合されている。詳細には、ボトムケース４０ｂに一体化されて上方に突出するように幅方向に一対設けられているフック４２は、図６（ｄ）に示されるように、幅方向の断面（Ｆ−Ｆ方向断面）が略逆Ｌ字型を有するフックである。図６（ｂ）〜（ｄ）に示すように、この一対のフック４２に、ピックアップ基板２０の幅方向に形成された一対の溝状の係合部２５が嵌め込まれることにより、ピックアップ基板２０はボトムケース４０ｂに係合される。このフック４２により、ボトムケース４０ｂにおけるピックアップ基板２０の左右（長手方向）の位置は、係合部２５の溝の大きさに応じて規制される。また、フック４２は、図６（ｃ）及び図６（ｄ）に示すように、ピックアップ基板２０を上方から押さえるため、その上下の位置も規制される。
【００４５】
一方で、フック４４もまた、ボトムケース４０ｂに一体化されて上方に突出するように設けられており、図６（ｆ）に示されるように、長さ方向の断面（Ｅ−Ｅ方向断面）が略逆Ｌ字型を有するフックである。図６（ｅ）及び（ｆ）に示すように、このフック４４に、ピックアップ基板の右端に位置する係合部２６が嵌め込まれることにより、ピックアップ基板２０はボトムケース４０ｂに係合される。フック４４は、図６（ｆ）に示すように、ピックアップ基板２０を、上方から押さえ込むため、その上下の位置が規制される。
【００４６】
ここで、係合部２５，２６は、ピックアップ基板２０における６つのピックアップコイル２１の配置領域の両端に位置するので（図４（ａ）参照）、フック４２，４４は、ピックアップ基板２０におけるピックアップコイル２１の配置領域の両端の上下の位置を規制することになる。よって、トップケース４０ａの孔５０から挿入された調整用ねじ７０を用いて、先に説明したようにピックアップ基板２０のアールを変化させた場合、ピックアップ基板２０の撓みは、ピックアップコイル２１の装着領域に限定されて変化されるので、ピックアップコイル２１部分の天面のアールは安定に変化し得る。
【００４７】
更に、ピックアップ基板２０において、フック４２，４４によって上下の位置が規制された係合部２５と係合部２６との間の領域の略中央部分である貫通孔２７（ナットの開口部６１ａとの連通孔に相当する）を貫通するように調整用ねじ７０が設けられる。よって、調整用ねじ７０は、その調整用ねじ７０を締め付ける又は緩めるように回転させた場合に、上下の規制された部分を両端とするピックアップコイル２１の装着領域に対して安定に力を付与することができる。その結果として、弦１０８のアールに応じた適切なピックアップコイル２１の天面のアールが安定に形成され得る。
【００４８】
以上のように、本発明の第１実施例におけるピックアップ装置１によれば、ピックアップコイル２１の装着されたピックアップ基板２０の撓みを、調整用ねじ７０の締め付け加減により適宜調整可能であるので、ギター１００の種類毎に異なる弦１０８のアールに応じて、６つのピックアップコイル２１ａ〜２１ｆの天面のアールを適宜調整できる。その結果、ギター１００の種類に依存することなく、各弦１０８とピックアップコイル２１との距離を常に適切な距離に保ち、それによって、弦１０８の振動を常に適切に検出することができる。
【００４９】
次に、図７を参照して、本発明の第２実施例について説明する。図７（ａ）は、第２実施例におけるピックアップ装置１の平面図であり、図７（ｂ）は、図７（ａ）のＡ−Ａ方向断面図である。なお、前記した第１実施例と同一の部分には同一の符号を付して、その説明は省略する。
【００５０】
上記第１実施例では、調整用ねじ７０として、軸部の一部に円筒状の非ねじ部７０ａを有するねじ部材を用いたが、第２実施例では、調整用ねじ７０として、その軸部に圧縮コイルばね７０ｃを備えたばね部材を用いる。この圧縮コイルばね７０ｃは、ピックアップ基板２０の撓みの上限、即ち、ピックアップ基板２０のアールの最小値において密着状態となるように配置されている。そのため、調整用ねじ７０を締め付ける方向に回転させた場合にも、圧縮コイルばね７０ｃの付勢力により、ピックアップ基板２０が過度に撓むこと、即ち、アールが過度に小さくなることを抑制し得る。よって、調整用ねじ７０の締めすぎによるピックアップ基板２０の破壊を防止し得る。
【００５１】
次に、図８を参照して、本発明の第３実施例について説明する。図８（ａ）は、第３実施例におけるピックアップ装置１の平面図であり、図８（ｂ）は、図８（ａ）のＡ−Ａ方向断面図である。なお、この第３実施例においても、前記した第１実施例と同一の部分には同一の符号を付して、その説明は省略する。
【００５２】
上記第１実施例では、調整用ねじ７０がピックアップ基板２０の基板面に対して垂直な方向に力を付与することにより、ピックアップ基板２０のアールを変化させるように構成したが、第３実施例では、調整用ねじ８３がピックアップ基板２０の長手方向（ピックアップコイル２１の並び方向）に力を付与することにより、ピックアップ基板２０のアールを変化させるように構成している。
【００５３】
第１実施例では、ナット６１は板ばね６０の略中央部分にインサート成形により配置されていたが、これに代えて、この第３実施例では、ピックアップ基板２０における端子部２４と反対側の端部に、ナット（非図示）がインサートされているねじ受け部材８０を配置する。トップケース４０ａには、第１実施例における貫通孔５０の代わりに、ねじ受け部材８０に対応する位置に貫通孔８２が設けられている。調整用ねじ８３は、この貫通孔８２から挿入され、ねじ受け部材８０のナットと螺合される。なお、この調整用ねじ８３もまた、第１実施例と同様に、座面と非ねじ部との間に形成された溝に、プッシュナットやＥリングやＯリングなどのねじ抜け防止部材８４が配置され、トップケース７０ａからの脱落が防止し得るように構成されている。
【００５４】
この第３実施例では、調整用ねじ８３をナットに対して締め付けるように回転させた場合には、ねじ受け部材８０が後方（図８（ｂ）における右方側）に引き寄せられる。それに伴って、ピックアップ基板２０もまた、図８（ｂ）における右方側へ引き寄せられ、その結果として、ピックアップ基板２０の撓みが緩められる、即ち、ピックアップ基板２０のアールは大きくなる。
【００５５】
一方で、調整用ねじ８３を緩める方向に回転させた場合、ねじ受け部材８０が前方（図８（ｂ）における左方側）に押され、それに伴って、ピックアップ基板２０もまた、図８（ｂ）における左方側へ押される。その結果、ピックアップ基板２０の撓みが大きくなる、即ち、ピックアップ基板２０のアールは小さくなる。
【００５６】
以上のように、本発明の第３実施例におけるピックアップ装置１によれば、調整用ねじ８３によりピックアップ基板２０に対して左右方向（長手方向）に力を加えることにより、ピックアップコイル２１の装着されたピックアップ基板２０の撓みを適宜調整可能となる。よって、ギター１００の種類毎に異なる弦１０８のアールに応じて、６つのピックアップコイル２１ａ〜２１ｆの天面のアールを適宜調整できる。その結果、ギター１００の種類に依存することなく、各弦１０８とピックアップコイル２１との距離を常に適切な距離に保ち、それによって、弦１０８の振動を常に適切に検出することができる。
【００５７】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００５８】
例えば、本実施例では、ピックアップ基板２０の支持する弾性部材として板ばね６０を用いるように構成されたが、板ばね６０に代えて、ピックアップ基板２０の下方からコイルばねによって支持するように構成してもよい。その際、ピックアップ基板２０の下方に、ピックアップ基板２０を保持する板状の保持部材を介してコイルばねを配置し、そのコイルばねがピックアップ基板２０を支持するようにしてもよい。
【図面の簡単な説明】
【００５９】
【図１】本発明のピックアップ装置を装着したギターの一部を示す図である。
【図２】第１実施例におけるピックアップ装置を示す図であり、（ａ）は、平面図であり、（ｂ）は、（ａ）のＡ−Ａ方向断面図である。
【図３】ピックアップコイルが装着されたピックアップ基板を示す図である。
【図４】ピックアップ基板と板ばねとが接着されることを説明する図であり、（ａ）は、板ばねとその板ばね上に配設されたピックアップ基板とを分解して示した図であり、（ｂ）は、ピックアップ基板と板ばねとが接着されたものを裏面側からみた図であり、（ｃ）は、ピックアップ基板と板ばねとが接着されたものの側面図である。
【図５】図２（ａ）のＡ−Ａ方向断面図であって、調整用ねじの締め付け加減に応じたピックアップコイルの天面のアールの調整を説明する図であり、（ａ）は、アールが１８４である場合を示す図であり、（ｂ）は、アールが３００である場合を示す図であり、（ｃ）は、アールが４１０である場合を示す図である。
【図６】ピックアップ基板のボトムケースへの係合について説明図であり、（ａ）は、ボトムケースにピックアップ基板が装着された状態を示す図であり、（ｂ）は、（ａ）のＣ部分の部分拡大図であり、（ｃ）は、（ｂ）におけるＥ−Ｅ方向断面図であり、（ｄ）は、（ｂ）におけるＦ−Ｆ方向断面図である。また、（ｅ）は、（ａ）のＤ部分の部分拡大図であり、（ｆ）は、（ｅ）におけるＥ−Ｅ方向断面図である。
【図７】第２実施例におけるピックアップ装置を示す図であり、（ａ）は、平面図であり、（ｂ）は、（ａ）のＡ−Ａ方向断面図である。
【図８】第３実施例におけるピックアップ装置を示す図であり、（ａ）は、平面図であり、（ｂ）は、（ａ）のＡ−Ａ方向断面図である。
【符号の説明】
【００６０】
１                        ピックアップ装置
２０                      ピックアップ基板
２１（２１ａ〜２１ｆ）    ピックアップコイル
４０ａ                    トップケース
４０ｂ                    ボトムケース
４２，４４                フック（上下位置規制部材）
６０                      板ばね（弾性部材）
６１                      ナット（アール調整部材の一部）
７０                      調整用ねじ（アール調整部材の一部）
７０ｃ                    圧縮コイルばね（アール規制部材）
８０                      ねじ受け部材（アール調整部材の一部）
８３                      調整用ねじ（アール調整部材の一部）
【図１】
2005173323.tif 000003
【図２】
2005173323.tif 000004
【図３】
2005173323.tif 000005
【図４】
2005173323.tif 000006
【図５】
2005173323.tif 000007
【図６】
2005173323.tif 000008
【図７】
2005173323.tif 000009
【図８】
2005173323.tif 000010